(57)【要約】【課題】  複数の情報記録面を有する光ディスクを記録再生する場合に、レンズシフトまで考慮して信号光と迷光を効果的に分離し、安定なサーボ信号およびＲＦ信号を生成することが可能な光ピックアップ装置およびそれを搭載した光ディスク装置を提供する。【解決手段】  光ピックアップ装置は、レーザ光源と、光束を光ディスクの情報記録面に集光する対物レンズと、情報記録面で反射した光束を複数に分割する回折格子と、複数に分割された光束を受光する複数の受光素子を備えた光検出器とを備え、回折格子の中央領域を、光ディスクのトラックに垂直な方向の２本の分割線によって３分割し、分割された領域のうち回折格子の中心を含む中央の領域は、光束を遮光する遮光領域を設け、遮光領域を除く２つの領域は、回折した光束を受光面で検出する。【選択図】  図１５
2012069183.tif 000002
【特許請求の範囲】
【請求項１】
レーザ光源と、
前記レーザ光源から出射した光束を光ディスクの情報記録面に集光する対物レンズと、
前記情報記録面で反射した光束を受光する複数の受光面を備えた光検出器と、を備えた光ピックアップ装置において、
前記情報記録面から前記光検出器までの光路中に、前記光束の中心を含む領域を遮光する遮光素子を設け、
前記遮光素子の遮光領域は、
前記光ディスクのトラック方向に略平行な方向の幅よりも、前記光ディスクのトラック方向に略直交する方向の幅の方が大きく、
前記遮光領域以外の領域を通過した光束は回折され、前記光検出器で検出される
ことを特徴とする光ピックアップ装置。
【請求項２】
レーザ光源と、
前記レーザ光源から出射した光束を光ディスクの情報記録面に集光する対物レンズと、
前記情報記録面で反射した光束を複数に分割する回折格子と、
前記回折格子によって複数に分割された光束を受光する複数の受光面を備えた光検出器と、を備えた光ピックアップ装置において、
前記回折格子は、
前記回折格子の中心を含む第１の領域と、前記回折格子の中心を除く第２の領域に分割され、
該第１の領域は、前記光ディスクのトラック方向に略垂直な方向の２本の分割線によって３分割され、
３分割された前記第１の領域のうち、前記回折格子の中心を含む中央の領域は、
光束を遮光する遮光領域であり、
前記遮光領域以外の領域を通過した光束は回折され、前記光検出器で検出される
ことを特徴とする光ピックアップ装置。
【請求項３】
請求項２に記載の光ピックアップ装置であって、
前記回折格子の中心を含む遮光領域は、
前記光ディスクのトラック方向に略平行な方向の幅よりも、前記光ディスクのトラック方向に略平行な方向の幅の方が大きい
ことを特徴とする光ピックアップ装置。
【請求項４】
請求項２又は請求項３に記載の光ピックアップ装置であって、
前記第１の領域のうち、前記回折格子の中心を含む遮光領域を除く２つの領域は、
所定の値に周期的に刻まれた格子溝からなる回折領域とし、
該領域の回折光は、前記光検出器の所定の受光面に入射する
ことを特徴とする光ピックアップ装置。
【請求項５】
請求項２から請求項４のいずれかに記載の光ピックアップ装置であって、
前記第１の領域のうち、前記回折格子の中心を含む遮光領域を除く２つの領域は、
前記光ディスクのトラック方向に略平行な方向の分割線によって少なくとも４分割される
ことを特徴とする光ピックアップ装置。
【請求項６】
請求項２から請求項５のいずれかに記載の光ピックアップ装置であって、
前記第１の領域のうち、前記回折格子の中心を含む遮光領域を除く２つの領域は、
前記回折格子の中心を通り、前記光ディスクのトラック方向に略平行な方向の軸に対して線対称であり、
かつ前記回折格子の中心を通り、前記光ディスクのトラック方向に略垂直な方向の軸に対して線対称である
ことを特徴とする光ピックアップ装置。
【請求項７】
請求項２から請求項６のいずれかに記載の光ピックアップ装置であって、
前記回折格子の第２の領域で、複数に分割される回折領域は、
前記回折格子の中心を通り、前記光ディスクのトラック方向に略平行な方向の軸に対して線対称であり、
かつ前記回折格子の中心を通り、前記光ディスクのトラック方向に略垂直な方向の軸に対して線対称である
ことを特徴とする光ピックアップ装置。
【請求項８】
請求項２から請求項７のいずれかに記載の光ピックアップ装置であって、
前記回折格子の前記第１の領域の回折角は、
前記回折格子の前記第２の領域の回折角よりも大きい
ことを特徴とする光ピックアップ装置。
【請求項９】
請求項２から請求項８のいずれかに記載の光ピックアップ装置であって、
前記回折格子の前記第２の領域で回折した光束を用いてフォーカス誤差信号およびトラッキング誤差信号を検出し、
前記遮光領域を除く全ての回折領域で回折した光束を用いて再生信号を検出する
ことを特徴とする光ピックアップ装置。
【請求項１０】
請求項２から請求項９のいずれかに記載の光ピックアップ装置であって、
前記回折格子は、
前記遮光領域に変えて、所定の値に周期的に刻まれた格子溝からなる回折領域とし、
該領域の回折光は、前記光検出器の各受光面から所定の距離分離した受光感度を持たない位置に入射する
ことを特徴とする光ピックアップ装置。
【請求項１１】
請求項１から請求項１０のいずれか１項に記載の光ピックアップ装置と、
前記レーザ光源を駆動するためのレーザ点灯回路と、
前記光ピックアップの光検出器で得られた検出信号より、多層化された前記光ディスクで安定したサーボ信号を生成するためのサーボ信号生成回路と、
前記光ピックアップの光検出器で得られた検出信号より、多層化された前記光ディスクに記録されている情報を安定に再生するための情報信号再生回路と、
前記レーザ点灯回路、前記サーボ信号生成回路ないし前記情報信号再生回路を制御するコントロール回路と、を備えた光ディスク装置。
【発明の詳細な説明】
【技術分野】
【０００１】
本発明は、光ピックアップ装置およびそれを搭載した光ディスク装置に関する。
【背景技術】
【０００２】
本技術に関する背景技術として、例えば特開２００５−６３５９５号公報（特許文献１）がある。
特許文献１には、「動作の信頼性を確保した上で受光部への迷光の入射の防止を図る。」とあり、解決手段として「ディスク状記録媒体から受光素子までの光路中にレーザー光の一部を遮光する遮光部１３ａを有する遮光部材１３を設け、情報の記録又は再生が行われる記録層とは別の層で反射されたレーザー光の少なくとも一部を受光素子の受光部に入射しないようにした。」と記載されている。
【先行技術文献】
【特許文献】
【０００３】
【特許文献１】特開２００５−６３５９５号公報
【発明の概要】
【発明が解決しようとする課題】
【０００４】
複数の情報層を有する多層光ディスクを記録再生する場合、目的の情報層で反射する光束（以下、信号光と呼ぶ。）だけでなく、該情報層とは異なる情報層からも光束は反射する。目的の情報層以外の情報層で反射した光束のことを迷光と呼ぶ。光検出器上において、迷光が信号光を受光する受光面に入射すると、信号光と迷光の相互干渉により、サーボ信号であるフォーカス誤差信号（ＦＥＳ：Ｆｏｃｕｓｉｎｇ  Ｅｒｒｏｒ  Ｓｉｇｎａｌ）やＴＥＳ（ＴＥＳ：Ｔｒａｃｋｉｎｇ  Ｅｒｒｏｒ  Ｓｉｇｎａｌ）、または再生信号であるＲＦ信号（ＲＦ：Ｒａｄｉｏ  Ｆｒｅｑｕｅｎｃｙ）のノイズとなって信号オフセットや信号変動が発生するという問題が生じる。従って、安定したサーボ信号やＲＦ信号を生成するためには、光検出器上で迷光が信号光受光面に入射しない構成することが必要である。
【０００５】
特許文献１では、安定した信号を生成するために光ディスクから光検出器までの光路中に光束の一部を遮光することのできる遮光素子を設けて、迷光が受光面を回避するような構成としている。しかし、特許文献１は、対物レンズが光ディスクの半径方向にレンズシフトした場合の迷光を回避については全く考慮されておらず、そのために最適な遮光形状については一切記載されていない。
【０００６】
このような状況に鑑み、本発明は、複数の情報層を有する多層光ディスクを記録再生する場合に、レンズシフトまで考慮して信号光と迷光を分離し、安定なサーボ信号およびＲＦ信号を生成することが可能な光ピックアップ装置およびそれを搭載した光ディスク装置を提供することを目的とする。
【課題を解決するための手段】
【０００７】
上記目的は、その一例として特許請求の範囲に記載する構成により達成できる。
【発明の効果】
【０００８】
本発明によれば、複数の情報層を有する多層光ディスクを記録再生する場合に、レンズシフトまで考慮して信号光と迷光を分離し、安定なサーボ信号およびＲＦ信号を生成することが可能な光ピックアップ装置およびそれを搭載した光ディスク装置を提供することができる。
【図面の簡単な説明】
【０００９】
【図１】実施例１において、光学系を示した図である。
【図２】実施例１において、回折格子を示した図である。
【図３】実施例１において、光検出器の受光面構成を示した図である。
【図４】２層光ディスクに入射した信号光と迷光の関係を示した図である。
【図５】２層光ディスクに入射した信号光と迷光の関係を示した図である。
【図６】実施例１において、迷光が光検出器上に入射したときの様子を示した図である。
【図７】実施例２において、光学系を示した図である。
【図８】実施例２において、回折格子を示した図である。
【図９】実施例２において、光検出器の受光面構成を示した図である。
【図１０】実施例２において、迷光が光検出器上に入射したときの様子を示した図である。
【図１１】実施例２において、回折格子上での信号光と迷光の関係を示した図である。
【図１２】実施例２において、迷光が光検出器上に入射したときの様子を示した図である。
【図１３】実施例２において、他の光学系を示した図である。
【図１４】実施例３において、光学系を示した図である。
【図１５】実施例３において、回折格子を示した図である。
【図１６】実施例３において、光検出器の受光面構成を示した図である。
【図１７】実施例３において、回折格子上および光検出器上での信号光と迷光の関係を示した図である。
【図１８】実施例３において、回折格子上および光検出器上での信号光と迷光の関係を示した図である。
【図１９】実施例３において、回折格子上および光検出器上での信号光と迷光の関係を示した図である。
【図２０】実施例３において、他の回折格子を示した図である。
【図２１】実施例４において、回折格子を示した図である。
【図２２】実施例４において、光検出器の受光面構成を示した図である。
【図２３】実施例４において、回折格子上および光検出器上での信号光と迷光の関係を示した図である。
【図２４】実施例４において、回折格子上および光検出器上での信号光と迷光の関係を示した図である。
【図２５】実施例４において、回折格子上および光検出器上での信号光と迷光の関係を示した図である。
【図２６】実施例４において、他の光検出器の受光面構成を示した図である。
【図２７】実施例４において、回折格子上および光検出器上での信号光と迷光の関係を示した図である。
【図２８】実施例４において、回折格子上および光検出器上での信号光と迷光の関係を示した図である。
【図２９】実施例４において、回折格子上および光検出器上での信号光と迷光の関係を示した図である。
【図３０】実施例５において、光ピックアップ装置を搭載した光学的情報再生装置または光学的情報記録再生装置の概略ブロック図を示した図である。
【発明を実施するための形態】
【００１０】
本発明を適用した光ピックアップ装置および光ディスク装置の実施形態の一例について、以下図面を用いて説明する。なお、各図において、同じ作用を示す構成要素には同じ符号を用いている。なお、以下の実施例では、ＢＤについて説明するが、ＤＶＤや他の記録方式であってもなんら構わない。
【実施例１】
【００１１】
図１は、本発明の実施例１に係る光ピックアップ装置の光学系を示している。
【００１２】
レーザ光源１０から光束が発散光として出射される。半導体レーザは直線偏光の光束を出射するのが一般的であり、レーザ光源１０からも直線偏光の光束を出射することを想定する。なお、レーザ光源１０から出射された光束の中心光路（以下、光軸と略す。）を鎖線で図示した。
【００１３】
レーザ光源１０から出射された光束は、偏光ビームスプリッタ（以下、ＰＢＳと略す。）１１を反射する。ＰＢＳとは、所定の方向の直線偏光を透過し、その方向と直交する方向の直線偏光を反射させる素子である。ここでは、光束の大部分を反射するように偏光を制御する。一部の光束はＰＢＳ１１を透過し、フロントモニタ１２に入射する。一般的に光ディスクの記録再生動作の精度を良くするためには、光ディスクに照射される光束の光量を所望の値に制御することが必須となる。フロントモニタ１２はレーザ光源１０からの光量変化を制御回路にフィードバックすることにより、光束の光量を制御することを可能とする。
【００１４】
ＰＢＳ１１を反射した光束は、コリメートレンズ１３に入射する。コリメートレンズ１３は、図１のように光軸と平行な方向にシフトできるようにすることで、光束の収束・発散状態を変え、光ディスクのカバー層厚み誤差による球面収差を補正することを可能とする。
【００１５】
コリメートレンズ１３を透過した光束は、１／４波長板１４を透過、立ち上げミラー１５を反射後、アクチュエータ１６に搭載された対物レンズ１７を透過して、光ディスクの情報層上（図示せず）に集光される。
【００１６】
光ディスクの情報層上より反射した光束は、対物レンズ１７、立ち上げミラー１５、１／４波長板１４、コリメートレンズ１３を透過し、ＰＢＳ１１に入射する。このとき、光束は１／４波長板１４を２回通過したために、往路のときと直交する方向の直線偏光となっている。従って、光束はＰＢＳ１１を透過する。ＰＢＳ１１を透過した光束は、遮光素子１８を通り、光検出器１９上に集光する。
【００１７】
光検出器１９は、光束が集光できるような受光面構成となっており、受光面に照射された光量に従って再生信号であるＲＦ信号やフォーカス誤差信号やトラッキング誤差信号などが生成される。
【００１８】
図２は図１における遮光素子１８の形状の一例である。遮光素子とは光束を遮光する機能を持った素子のことで、図２においては、遮光部２０が素子の中央部に形成されている、そこに入射した光束のみ遮光することができる。
一点鎖線２１は、トラック方向に略垂直な方向、つまり光ディスク半径方向を示す。以下Ｒａｄ方向と略す。一点鎖線２２は、トラック方向に略平行な方向、つまり光ディスク接線方向を示す。以下Ｔａｎ方向と略す。
遮光部２０が例えば図２のように平板のように形成されるとき、Ｒａｄ方向に平行な辺２０Ａは、Ｔａｎ方向に平行な辺２０Ｂよりも長くなることが望ましい。この詳細については、図６を用いて後述する。
光ディスクの情報層上より反射した光束は、破線２３で示すように遮光素子１８に入射する。このとき遮光部２０に入射した部分の光束は遮光され、残りの光束は透過して光検出器１９に進行する。
【００１９】
図３は図１における光検出器１９の構成の一例である。光検出器は集光する光束を受光する受光面を形成しており、図３においては、受光面１９Ａから受光面１９Ｄの４分割受光面となっている。また、受光面に入射した信号光は３０で示す。
【００２０】
各受光面に入射した信号光より、サーボ信号であるフォーカス誤差信号（ＦＥＳ）やトラッキング誤差信号（ＴＥＳ）、再生信号であるＲＦ信号を生成する。受光面１９Ａ、１９Ｂ、１９Ｃ、１９Ｄで検出して得られる信号を、順に１９ａ、１９ｂ、１９ｃ、１９ｄとする。
【００２１】
ＦＥＳの検出には、例えば非点収差法を使用する。非点収差法を行うには、Ｒａｄ方向に対して４５度方向に非点収差を発生する光学素子をＰＢＳ１１から光検出器１９までの復路光路中に配置することで実現できる。非点収差法を用いて、数１に示す演算式よりＦＥＳを生成する。
(数１)
ＦＥＳ＝（１９ａ＋１９ｃ）−（１９ｂ＋１９ｄ）
【００２２】
ＴＥＳの検出には、例えば位相差検出法（ＤＰＤ：Ｄｉｆｆｅｒｅｎｔｉａｌ  Ｐｈａｓｅ  Ｄｅｔｅｃｔｉｏｎ）を使用する。ＤＰＤ法では各信号の位相差情報が必要となるため、信号１９ａから１９ｄの位相差情報を用いて、ＤＰＤ法によりＴＥＳを生成する。
また、数２に示す演算式のように全ての和をとってＲＦ信号を生成する。
(数２)
ＲＦ＝１９ａ＋１９ｂ＋１９ｃ＋１９ｄ
【００２３】
さて、多層光ディスクを用いて各情報層に光束を集光するとき、光量の一部は目的となる情報層で反射せず、目的ではない情報層で反射される。そのため、目的となる情報層で反射された所望の信号光だけでなく、それ以外の情報層で反射された迷光が光検出器の各受光面に入射してしまうという問題がある。迷光が受光面に入射すると、結果的に信号に不要なノイズが漏れ込んでしまうことになるため、他層からの迷光が受光面に入らないようにすることが必要である。
【００２４】
図４と図５は、例えばＢＤ２層光ディスク４０の信号光と迷光の関係を、光ディスク反射した直後と、回折格子上とで、それぞれ示している。光ディスク４０の情報層４１は奥の情報層であるＬ０層を、情報層４２は手前の情報層であるＬ１層を、それぞれ示す。
【００２５】
図４（ａ）は、Ｌ０層４１に光束が集光したときの、反射光の様子である。Ｌ０層４１で集光した光束は、反射して信号光２３として光路を進行する。一方、一部の光束はＬ１層４２で反射し、迷光４３として光路を進行する。図４（ｂ）は、回折格子１８上での信号光２３と迷光４３の様子を示している。目的の情報層よりも手前の層で反射した迷光は、信号光よりも大きな光束で光路を進行するため、図４（ｂ）のように回折格子上で信号光よりも大きくなる。
【００２６】
一方、図５（ａ）は、Ｌ１層４２に光束が集光したときの、反射光の様子である。Ｌ１層４２で集光した光束は、反射して信号光２３として光路を進行する。一方、一部の光束はＬ０層４１で反射し、迷光４３として光路を進行する。図５（ｂ）は、回折格子１８上での信号光２３と迷光４３の様子を示している。目的の情報層よりも奥の層で反射した迷光は、信号光よりも収束光で光路を進行するため、図５（ｂ）のように回折格子上で信号光よりも小さくなる。
【００２７】
図６は、迷光が光検出器１９上に入射したときの様子を示したものである。信号光は３０、迷光は５０で示している。信号光３０に対して迷光５０は非収束光となるため、光検出器１９上で集光することなくデフォーカスして入射する。また、中央部の迷光は遮光素子１８によって遮光されているため、受光面１９Ａから１９Ｄを回避して入射している。
また、対物レンズをＲａｄ方向に変位させる、いわゆるレンズシフトを行うとき、迷光は受光面に対してＲａｄ方向にシフトすることが知られている。図６において、紙面左右方向をＲａｄ方向とすると、迷光５０はＲａｄ方向に対して余裕を持って入射することが必要となる。受光面はバランスの点で対称の設計にした方が望ましいため、遮光素子１８の遮光部２０においてＲａｄ方向に平行な辺２０Ａは、Ｔａｎ方向に平行な辺２０Ｂよりも長いことが望ましい。Ｔａｎ方向に平行な辺２０Ｂは、レンズシフトをしない状態で図６のように迷光を回避すればよい。
このように、遮光素子１８のような構成にすることで、中央を含んだ一部の光束を遮光することで、レンズシフトまで考慮して効果的に信号光と迷光を分離することが可能となる。
【実施例２】
【００２８】
図７は、本発明の実施例２に係る光ピックアップ装置の光学系を示している。図１と異なり、遮光素子１８の代わりに、回折格子６０を使用している。回折格子とは、入射した光束を回折する機能を持つ素子で、例えば回折格子に格子溝を刻むことによって実現する。また、回折格子を複数の領域に分割し、それぞれ異なる方向へ回折することが可能である。図７において、光ディスクの情報層上より反射した光束を回折格子６０で回折し、光検出器６１で受光する。
【００２９】
図８は、図７における回折格子６０の構成の一例である。回折格子６０は、図２の遮光素子１８のように遮光部２０が設けられているだけでなく、領域７１、領域７２、それを除く領域７３の、計４個の領域に分かれている。領域７１と領域７２に入射した光束は、回折するように格子溝を設け、領域７３に入射した光束は、そのまま透過する。また、遮光部２０において、Ｒａｄ方向に平行な辺を長辺、Ｔａｎ方向に平行な辺を短辺にすることが望ましい。光ディスクの情報層上より反射した光束は、破線２３で示すように回折格子６０に入射する。このとき遮光部２０に入射した部分の光束は遮光され、残りの光束は透過および回折して光検出器６１に進行する。
【００３０】
図８は、図６における光検出器６１の構成の一例である。図８において、受光面は受光面６１Ａから受光面６１Ｄの４分割受光面と、受光面６１Ｅで構成される。
【００３１】
各受光面に入射した信号光３０より、サーボ信号であるフォーカス誤差信号（ＦＥＳ）やトラッキング誤差信号（ＴＥＳ）、再生信号であるＲＦ信号を生成する。受光面６１Ａ、６１Ｂ、６１Ｃ、６１Ｄ、６１Ｅで検出して得られる信号を、順に６１ａ、６１ｂ、６１ｃ、６１ｄ、６１ｅとする。
【００３２】
ＦＥＳの検出には、例えば非点収差法を使用する。非点収差法を行うには、Ｒａｄ方向に対して４５度方向に非点収差を発生する光学素子をＰＢＳ１１から光検出器１９までの復路光路中に配置することで実現できる。非点収差法を用いて、数３に示す演算式よりＦＥＳを生成する。
(数３)
ＦＥＳ＝（６１ａ＋６１ｃ）−（６１ｂ＋６１ｄ）
【００３３】
ＴＥＳの検出には、例えば位相差検出法（ＤＰＤ：Ｄｉｆｆｅｒｅｎｔｉａｌ  Ｐｈａｓｅ  Ｄｅｔｅｃｔｉｏｎ）を使用する。ＤＰＤ法では各信号の位相差情報が必要となるため、信号６１ａから６１ｄの位相差情報を用いて、ＤＰＤ法によりＴＥＳを生成する。
また、数４に示す演算式のように全ての和をとってＲＦ信号を生成する。
(数４)
ＲＦ＝６１ａ＋６１ｂ＋６１ｃ＋６１ｄ＋６１ｅ
【００３４】
ここで、実施例１との違いは、遮光した領域の一部を領域７１と領域７２を設けて回折し、回折した信号を受光面６１Ｅで受光している点である。そのため、ＲＦ信号の光量レベルは大きくなり、Ｓ／Ｎについて有利になる。
【００３５】
図１０は、多層光ディスクを記録／再生時に、迷光が光検出器６１上に入射したときの様子を示したものである。信号光は３０、迷光は５０で示している。信号光３０に対して迷光５０は非収束光となるため、光検出器６１上で集光することなくデフォーカスして入射する。また、中央部の迷光は、遮光部２０と回折領域７１および７２によって遮光および回折しているため、受光面６１Ａから６１Ｄを回避して入射している。領域７１と領域７２で回折した迷光についても、図１０に示すように受光面６１Ｅを回避して入射している。
また、レンズシフトを行った場合も、Ｒａｄ方向において受光面は迷光と離れて配置されているため、効果的に信号光と迷光を分離することができる。
特に受光面６１Ｅは、自身の迷光がＴａｎ方向に離れて入射するため、レンズシフトをしても受光面６１Ｅ上に入ることはない。よって、レンズシフトのマージンを広くすることが可能である。従って、信号光と迷光の干渉のない、安定なＲＦ信号を検出することができる。
【００３６】
図１１は、信号光である光束２３に対して、迷光の光束４３が回折格子６０上で焦点を結ぶように入射したときの様子を示す。これは、例えば３層以上の多層光ディスクで、目的とする情報層とその他の情報層の層間が大きくなった場合に発生する。迷光の光束４３は回折格子６０で絞られるため、迷光のふるまいは図１０の場合とは異なってくる。
【００３７】
図１２は、図１１のように迷光が回折格子６０に入射したときの、光検出器６１上の迷光５０の様子を示したものである。領域７３に迷光は入射しないため、４分割受光面の周りに迷光５０は入射しない。また、領域７１と領域７２に入射する迷光の形状が異なるため、光検出器６１上の迷光５０は図１２のようになる。ただし、情報層の層間が大きくなったために受光面６１Ｅから大きく回避して入射する。このため、レンズシフトを行った場合も効果的に信号光と迷光を分離することができる。
このように、光学系に回折格子を設け、回折格子の中央を含んだ領域に遮光部を設けるとともに、一部の光束を回折することで、ＲＦ信号のＳ／Ｎを向上し、かつレンズシフトまで考慮して効果的に信号光と迷光を分離することが可能となる。
【００３８】
なお、回折格子６０の位置は、図７に限定されるものではない。例えば図１３のようにＰＢＳ１１とコリメートレンズ１３の間に配置しても構わない。このとき、回折格子は偏光性回折格子１２０を用いる必要がある。偏光性回折格子とは、所定の方向の直線偏光の光束を回折し、その方向と直交する方向の直線偏光の光束を透過する機能を持つ回折格子である。図１３の場合、往路の光束を透過し、復路の光束を回折するようにすることで、図６と同様の効果を得ることができる。また、偏光性回折格子１２０を用いることで回折格子と光検出器の距離を離すことができるため、信号光に対する迷光は大きくデフォーカスする。従って、信号光と迷光を大きく分離することが可能となる。
【００３９】
また、回折格子６０の構成や光検出器６１の受光面の構成は、図８および図９に限定されるものではないことは言うまでもない。迷光と信号光を効果的に分離できれば、どのような構成であっても構わない。
【００４０】
また、回折格子６０の遮光部２０は、互いに一体になってなくても構わない。同様の効果を示すことができるのであれば、例えば回折格子６０と光検出器６１の間、もしくは回折格子６０とＰＢＳ１１の間に遮光素子を設けても構わない。
【００４１】
また、遮光部２０を設ける代わりに、格子溝のピッチが小さい回折領域を設けても構わない。この場合、光束は遮光されないが、ピッチを小さくすることで大きく回折することが可能となる。例えば図９において光検出器６１からはみ出るくらいの位置に回折光が入射するように、回折格子６０の格子溝ピッチを設計することで、遮光と同様の効果を得ることが可能である。
【実施例３】
【００４２】
図１４は、本発明の実施例３に係る光ピックアップ装置の光学系を示している。光学系として図６との差異はなく、回折格子１３０と光検出器１３１を新たな構成にしている。
【００４３】
図１５は、図１４における回折格子１３０の構成の一例である。回折格子１３０は、素子の中央部に遮光部２０が設けられている。遮光部２０は、Ｒａｄ方向に平行な辺を長辺、Ｔａｎ方向に平行な辺を短辺にすることが望ましい。その他の領域は、１３０Ａ、１３０Ｂ、１３０Ｃ、１３０Ｄ、１３０Ｅ、１３０Ｆ、１３０Ｇ、１３０Ｈ、１３０Ｉ、１３０Ｊの１０個の回折領域に分かれており、それぞれ所定の方向へ光束を回折する。
回折格子１３０の回折光は、主に＋１字回折光と−１次回折光で構成される。
回折格子１３０の各領域の分光比は、例えば領域１３１Ａ、１３１Ｂ、１３０Ｇ、１３０Ｈ、１３０Ｉ、１３０Ｊは、０次光：＋１次光：−１次光＝０：１：０とする。また、領域１３０Ｃ、１３０Ｄ、１３０Ｅ、１３０Ｆは、０次光：＋１次光：−１次光＝０：７：３とする。このように、＋１次光と−１次光の分光比が異なるように、回折格子の格子溝形状を形成することをブレーズ化という。ブレーズ化する理由は、再生信号を＋１次光の総和で生成するので、再生信号の光量を多くとりノイズを低減するためである。
なお、領域１３０Ａと領域１３０Ｂは、破線で示した信号光１４０のうち、光ディスクのトラックによる回折で生じるプッシュプル成分のパターンを示す１４１と１４２が入射する領域となっている。
遮光部２０に入射した部分の光束は遮光され、残りの光束は所定の方向に回折して光検出器１３１に進行する。
【００４４】
図１６は、図１４における光検出器１３１の構成の一例である。図中の黒点は、集光した信号光を表している。
領域１３０Ａ、１３０Ｂ、１３０Ｃ、１３０Ｄ、１３０Ｅ、１３０Ｆ、１３０Ｇ、１３０Ｈ、１３０Ｉ、１３０Ｊを回折した光束の＋１次回折光は、それぞれ受光面１３１Ａ、１３１Ｂ、１３１Ｃ、１３１Ｄ、１３１Ｅ、１３１Ｆ、１３１Ｇ、１３１Ｈ、１３１Ｉ、１３１Ｊに入射し、領域１３０Ｃ、１３０Ｄ、１３０Ｅ、１３０Ｆを回折した光束の−１次回折光は、それぞれ受光面１３１Ｒと１３１Ｖ間の暗線部、１３１Ｐと１３１Ｔ間の暗線部、１３１Ｓと１３１Ｗ間の暗線部、１３１Ｑと１３１Ｖ間の暗線部に入射する。
＋１次回折光と−１次回折光は光軸中心１５０に対して対称に回折するため、受光面の配置も図１６のように対称に配置される。
領域１３０Ｇから領域１３０Ｊの回折光を受光する受光面は、領域１３０Ａから領域１３０Ｆの回折光を受光する受光面よりも光軸中心１５０から離れて配置する。このような配置にすることによって、いかなる迷光も回避することが可能となる。これについては、図１７から図１９を用いて後述する。
【００４５】
各受光面に入射した信号光より、フォーカス誤差信号（ＦＥＳ）、トラッキング誤差信号（ＴＥＳ）、再生信号であるＲＦ信号を生成する。受光面１３１Ａ、１３１Ｂ、１３１Ｃ、１３１Ｄ、１３１Ｅ、１３１Ｆ、１３１Ｇ、１３１Ｈ、１３１Ｉ、１３１Ｊ、１３１Ｐ、１３１Ｑ、１３１Ｒ、１３１Ｓ、１３１Ｔ、１３１Ｕ、１３１Ｖ、１３１Ｗで検出して得られる信号を、順に１３１ａ、１３１ｂ、１３１ｃ、１３１ｄ、１３１ｅ、１３１ｆ、１３１ｇ、１３１ｈ、１３１ｉ、１３１ｊ、１３１ｐ、１３１ｑ、１３１ｒ、１３１ｓ、１３１ｔ、１３１ｕ、１３１ｖ、１３１ｗとする。
【００４６】
フォーカス誤差信号の検出には、例えばダブルナイフエッジ法を使用する。ダブルナイフエッジ法でフォーカス誤差信号を生成するために、集光状態において２分割した受光面間の暗線部に信号光を入射する構成になっている。暗線部は受光面から離れた光でも、受光面からの距離に応じて所定の感度を持って光を検出するため、この暗線部を用いることで、デフォーカスに対して感度を持ったフォーカス誤差信号を生成することができる。ダブルナイフエッジ法によって得られた信号１３１ｐ、１３１ｑ、１３１ｒ、１３１ｓ、１３１ｔ、１３１ｕ、１３１ｖ、１３１ｗを用いて、数５に示す演算式より生成する。
(数５)
ＦＥＳ＝（１３１ｑ＋１３１ｒ＋１３１ｔ＋１３１ｗ）−（１３１ｐ＋１３１ｓ＋１３１ｕ＋１３１ｖ）
【００４７】
一方、トラッキング誤差信号の検出には、例えばディファレンシャルプッシュプル法（ＤＰＰ：Ｄｉｆｆｅｒｅｎｔｉａｌ  Ｐｕｓｈ  Ｐｕｌｌ）を使用する。
【００４８】
ＤＰＰ法とは、レンズシフトをしたときにオフセットが発生しないようにプッシュプル信号を生成する方法である。
例えば、プッシュプル成分を含んだ信号１３１ａと１３１ｂのみで生成した場合、対物レンズがＲａｄ方向に対物レンズ変位、すなわちレンズシフトしたときに、図１５中の左右の光量アンバランスによって直流成分のオフセットが発生する。
そこで、オフセット成分のみの信号１３１ｃから１３１ｆを用いて、オフセットをキャンセルする演算を行う。
プッシュプル成分を含んだ信号をメインプッシュプル信号（以下ＭＰＰ信号と略す。）、プッシュプル成分を含まないオフセット成分のみの信号をオフセット信号とすると、ＤＰＰ信号は数６に示す演算式となる。
(数６)
ＭＰＰ信号＝１３１ａ−１３１ｂ
オフセット信号＝（１３１ｃ＋１３１ｄ）−（１３１ｅ＋１３１ｆ）
ＴＥＳ＝ＤＰＰ信号＝（ＭＰＰ信号）−ｋｔ・（オフセット信号）
【００４９】
ここで、数６のｋｔは、対物レンズがレンズシフトした際に、ＤＰＰ信号の式中第１項の信号に含まれるオフセット成分と、式中第２項の信号に含まれるオフセット成分とを補正するための係数である。このような演算を行うことによって、対物レンズがレンズシフトした際であってもオフセットのない安定したトラッキング誤差信号を生成することが可能である。
また、数７に示す演算式のように＋１次回折光で得られた信号の全ての和をとってＲＦ信号を生成する。
(数７)
ＲＦ＝１３１ａ＋１３１ｂ＋１３１ｃ＋１３１ｄ＋１３１ｅ＋１３１ｆ＋１３１ｇ＋１３１ｈ＋１３１ｉ＋１３１ｊ
【００５０】
さて、実施例３において図１５、図１６で示した回折格子１３０および光検出器１３１は、多層光ディスクで課題となる迷光問題を解決する構成となっている。それについて、図１７から図１９を用いて説明する。
【００５１】
図１７は、図４（ａ）のように目的の情報層よりも手前の情報層で反射した迷光を想定している。この場合、迷光は信号光に対して大きな光束となって進行する。このため、図１７（ａ）に示すように、回折格子１３０上で、迷光１６０は信号光１４０よりも大きな光束となる。回折格子１３０で回折した光束は、図１７（ｂ）に示すように、光検出器１３１上に入射する。信号光は黒点で、迷光は灰色で塗られた領域で示されている。この図より、受光面上で信号光と迷光が重なり合っていないことがわかる。また、レンズシフトを行って迷光がＲａｄ方向に変位した場合でも、迷光の影響を最小限に抑えることが可能である。
【００５２】
図１８は、図５（ａ）のように目的の情報層よりも奥の情報層で反射した迷光を想定している。この場合、迷光は信号光に対して小さな光束となって進行する。このため、図１８（ａ）に示すように、回折格子１３０上で、迷光１６０は信号光１４０よりも小さな光束となる。回折格子１３０で回折した光束は、図１８（ｂ）に示すように、光検出器１３１上に入射する。信号光は黒点で、迷光は灰色で塗られた領域で示されている。この図より、受光面上で信号光と迷光が重なり合っていないことがわかる。また、レンズシフトを行って迷光がＲａｄ方向に変位した場合でも、迷光の影響を最小限に抑えることが可能である。
【００５３】
図１９は、図５（ａ）のように目的の情報層よりも奥の情報層で反射した迷光で、かつ目的の情報層の迷光の発生した情報層の層間が大きい場合を想定している。この場合、迷光は信号光に対して非常に小さな光束となって進行する。このため、図１９（ａ）に示すように、回折格子１３０上で、迷光１６０は焦点を結ぶように入射するので、信号光１４０よりも非常に小さな光束となり、回折領域１３０Ｇから１３０Ｊと遮光部２０のみに入射する。回折格子１３０で回折した光束は、図１９（ｂ）に示すように、光検出器１３１上に入射する。信号光は黒点で、迷光は灰色で塗られた領域で示されている。この図より、受光面上で信号光と迷光が重なり合っていないことがわかる。また、レンズシフトを行って迷光がＲａｄ方向に変位した場合でも、迷光の影響を最小限に抑えることが可能である。また、回折格子上で完全に焦点を結ぶような迷光が入射した場合は、遮光領域によって迷光を遮断することが可能である。
【００５４】
以上より、図１５のように中央を遮光してそれ以外を複数の回折光に分割する回折格子１３０と、図１６のように迷光を効果的に分離できるような受光面構成の光検出器１３１を設けることで、多層光ディスクでのいかなる迷光も信号光と分離することが可能である。また、レンズシフト時も迷光の影響を最小限に抑えることが可能となる。従って、安定したサーボ信号やＲＦ信号を生成することが可能となる。
【００５５】
なお、図１５のような回折格子構成は遮光部と複数の回折領域が存在するため、光検出器の受光面配置の自由度が増える。従って、互いの受光面を近くに配置することができ、光検出器を小型化することが可能となる。
【００５６】
また、回折格子１３０の位置は、図１４に限定されるものではない。例えば偏光性回折格子を用いて、ＰＢＳ１１とコリメートレンズ１３の間に配置しても構わない。
【００５７】
また、回折格子１３０の構成や光検出器１３１の受光面の構成は、図１５および図１６に限定されるものではないことは言うまでもない。迷光と信号光を効果的に分離できれば、どのような構成であっても構わない。例えば、回折格子１３０は図２０（ａ）や（ｂ）のような構成であってもよい。
【００５８】
また、回折格子１３０の遮光部２０は、互いに一体になってなくても構わない。同様の効果を示すことができるのであれば、例えば回折格子１３０と光検出器１３１の間、もしくは回折格子１３０とＰＢＳ１１の間に遮光素子を設けても構わない。
【００５９】
また、遮光部２０を設ける代わりに、格子溝のピッチが小さい回折領域を設けても構わない。この場合、光束は遮光されないが、ピッチを小さくすることで大きく回折することが可能となる。例えば図１６においてＲａｄ方向上に受光面が配置されていないので、Ｒａｄ方向で光検出器１３１から大きくはみ出るくらいの位置に回折光が入射するように、回折格子１３０の格子溝ピッチを設計することで、遮光と同様の効果を得ることが可能である。
【実施例４】
【００６０】
図２１は、本発明の実施例４に係る光ピックアップ装置で用いる回折格子１３０の構成の一例である。光学系は図１４と同様の構成である。回折格子１３０は、素子の中央部に遮光部２０が設けられている。遮光部２０は、Ｒａｄ方向に平行な辺を長辺、Ｔａｎ方向に平行な辺を短辺にすることが望ましい。その他の領域は、１３０Ａ、１３０Ｂ、１３０Ｃ、１３０Ｄ、１３０Ｅ、１３０Ｆ、１３０Ｇ、１３０Ｈ、１３０Ｉ、１３０Ｊ、１３０Ｋ、１３０Ｌの１２個の回折領域に分かれており、それぞれ所定の方向へ光束を回折する。
回折格子１３０の回折光は、主に＋１字回折光と−１次回折光で構成される。
回折格子１３０の各領域の分光比は、例えば領域１３０Ｉ、１３０Ｊ、１３０Ｋ、１３０Ｌは、０次光：＋１次光：−１次光＝０：１：０とする。また、領域１３０Ａ、１３０Ｂ、１３０Ｃ、１３０Ｄ、１３０Ｅ、１３０Ｆ、１３０Ｇ、１３０Ｈは、０次光：＋１次光：−１次光＝０：７：３とする。このように、＋１次光と−１次光の分光比が異なるように、回折格子の格子溝形状を形成することをブレーズ化という。ブレーズ化する理由は、再生信号を＋１次光の総和で生成するので、再生信号の光量を多くとりノイズを低減するためである。
なお、領域１３０Ａから１３０Ｄは、破線で示した信号光１４０のうち、光ディスクのトラックによる回折で生じるプッシュプル成分のパターンを示す１４１と１４２が入射する領域となっている。
遮光部２０に入射した部分の光束は遮光され、残りの光束は所定の方向に回折して光検出器１３１に進行する。
【００６１】
図２２は、本実施例における光検出器１３１の構成の一例である。図中の黒点は、集光した信号光を表している。
領域１３０Ａ、１３０Ｂ、１３０Ｃ、１３０Ｄ、１３０Ｅ、１３０Ｆ、１３０Ｇ、１３０Ｈ、１３０Ｉ、１３０Ｊ、１３０Ｋ、１３０Ｌを回折した光束の＋１次回折光は、それぞれ受光面１３１Ａ、１３１Ｂ、１３１Ｃ、１３１Ｄ、１３１Ｅ、１３１Ｆ、１３１Ｇ、１３１Ｈ、１３１Ｉ、１３１Ｊ、１３１Ｋ、１３１Ｌに入射し、領域１３０Ａ、１３０Ｂ、１３０Ｃ、１３０Ｄ、１３０Ｅ、１３０Ｆ、１３０Ｇ、１３０Ｈを回折した光束の−１次回折光は、それぞれ受光面１３１Ｐと１３１Ｑ間の暗線部、１３１Ｑと１３１Ｒ間の暗線部、１３１Ｓと１３１Ｔ間の暗線部、１３１Ｒと１３１Ｓ間の暗線部、受光面１３１Ｗ、１３１Ｘ、１３１Ｙ、１３１Ｚに入射する。
＋１次回折光と−１次回折光は光軸中心１５０に対して対称に回折するため、受光面の配置も図２２のように対称に配置される。
領域１３０Ｉから領域１３０Ｌの回折光を受光する受光面は、領域１３０Ａから領域１３０Ｈの回折光を受光する受光面よりも光軸中心１５０から離れて配置する。このような配置にすることによって、いかなる迷光も回避することが可能となる。これについては、図２３から図２５を用いて後述する。
【００６２】
各受光面に入射した信号光より、フォーカス誤差信号（ＦＥＳ）、トラッキング誤差信号（ＴＥＳ）、再生信号であるＲＦ信号を生成する。受光面１３１Ａ、１３１Ｂ、１３１Ｃ、１３１Ｄ、１３１Ｅ、１３１Ｆ、１３１Ｇ、１３１Ｈ、１３１Ｉ、１３１Ｊ、１３１Ｋ、１３１Ｌ，１３１Ｐ、１３１Ｑ、１３１Ｒ、１３１Ｓ、１３１Ｔ、１３１Ｗ、１３１Ｘ、１３１Ｙ、１３１Ｚで検出して得られる信号を、順に１３１ａ、１３１ｂ、１３１ｃ、１３１ｄ、１３１ｅ、１３１ｆ、１３１ｇ、１３１ｈ、１３１ｉ、１３１ｊ、１３１ｋ、１３１ｌ、１３１ｐ、１３１ｑ、１３１ｒ、１３１ｓ、１３１ｔ、１３１ｗ、１３１ｘ、１３１ｙ、１３１ｚとする。
【００６３】
フォーカス誤差信号の検出には、例えばダブルナイフエッジ法を使用する。ダブルナイフエッジ法でフォーカス誤差信号を生成するために、集光状態において２分割した受光面間の暗線部に信号光を入射する構成になっている。暗線部は受光面から離れた光でも、受光面からの距離に応じて所定の感度を持って光を検出するため、この暗線部を用いることで、デフォーカスに対して感度を持ったフォーカス誤差信号を生成することができる。ダブルナイフエッジ法によって得られた信号１３１ｐ、１３１ｑ、１３１ｒ、１３１ｓ、１３１ｔを用いて、数８に示す演算式より生成する。
(数８)
ＦＥＳ＝（１３１ｑ＋１３１ｓ）−（１３１ｐ＋１３１ｒ＋１３１ｔ）
【００６４】
一方、トラッキング誤差信号の検出には、例えばディファレンシャルプッシュプル法（ＤＰＰ：Ｄｉｆｆｅｒｅｎｔｉａｌ  Ｐｕｓｈ  Ｐｕｌｌ）を使用する。
【００６５】
ＤＰＰ法とは、レンズシフトをしたときにオフセットが発生しないようにプッシュプル信号を生成する方法である。
例えば、プッシュプル成分を含んだ信号１３１ａと１３１ｂのみで生成した場合、対物レンズがＲａｄ方向に対物レンズ変位、すなわちレンズシフトしたときに、図２１中の左右の光量アンバランスによって直流成分のオフセットが発生する。
そこで、オフセット成分のみの信号１３１ｃから１３１ｆを用いて、オフセットをキャンセルする演算を行う。
プッシュプル成分を含んだ信号をメインプッシュプル信号（以下ＭＰＰ信号と略す。）、プッシュプル成分を含まないオフセット成分のみの信号をオフセット信号とすると、ＤＰＰ信号は数９に示す演算式となる。
(数９)
ＭＰＰ信号＝（１３１ａ＋１３１ｅ＋１３１ｂ＋１３１ｆ）−（１３１ｃ＋１３１ｇ＋１３１ｄ＋１３１ｈ）
オフセット信号＝（１３１ｗ＋１３１ｘ）−（１３１ｙ＋１３１ｚ）
ＴＥＳ＝ＤＰＰ信号＝（ＭＰＰ信号）−ｋｔ・（オフセット信号）
【００６６】
ここで、数６のｋｔは、対物レンズがレンズシフトした際に、ＤＰＰ信号の式中第１項の信号に含まれるオフセット成分と、式中第２項の信号に含まれるオフセット成分とを補正するための係数である。このような演算を行うことによって、対物レンズがレンズシフトした際であってもオフセットのない安定したトラッキング誤差信号を生成することが可能である。
また、数１０に示す演算式のように＋１次回折光で得られた信号の全ての和をとってＲＦ信号を生成する。
(数１０)
ＲＦ＝１３１ａ＋１３１ｂ＋１３１ｃ＋１３１ｄ＋１３１ｅ＋１３１ｆ＋１３１ｇ＋１３１ｈ＋１３１ｉ＋１３１ｊ＋１３１ｋ＋１３１ｌ
【００６７】
さて、実施例４において図２１、図２２で示した回折格子１３０および光検出器１３１は、多層光ディスクで課題となる迷光問題を解決する構成となっている。それについて、図２３から図２５を用いて説明する。
【００６８】
図２３は、図４（ａ）のように目的の情報層よりも手前の情報層で反射した迷光を想定している。この場合、迷光は信号光に対して大きな光束となって進行する。このため、図２３（ａ）に示すように、回折格子１３０上で、迷光１６０は信号光１４０よりも大きな光束となる。回折格子１３０で回折した光束は、図２３（ｂ）に示すように、光検出器１３１上に入射する。信号光は黒点で、迷光は灰色で塗られた領域で示されている。この図より、受光面上で信号光と迷光が重なり合っていないことがわかる。また、レンズシフトを行って迷光がＲａｄ方向に変位した場合でも、迷光の影響を最小限に抑えることが可能である。
【００６９】
図２４は、図５（ａ）のように目的の情報層よりも奥の情報層で反射した迷光を想定している。この場合、迷光は信号光に対して小さな光束となって進行する。このため、図２４（ａ）に示すように、回折格子１３０上で、迷光１６０は信号光１４０よりも小さな光束となる。回折格子１３０で回折した光束は、図２４（ｂ）に示すように、光検出器１３１上に入射する。信号光は黒点で、迷光は灰色で塗られた領域で示されている。この図より、受光面上で信号光と迷光が重なり合っていないことがわかる。また、レンズシフトを行って迷光がＲａｄ方向に変位した場合でも、迷光の影響を最小限に抑えることが可能である。
【００７０】
図２５は、図５（ａ）のように目的の情報層よりも奥の情報層で反射した迷光で、かつ目的の情報層の迷光の発生した情報層の層間が大きい場合を想定している。この場合、迷光は信号光に対して非常に小さな光束となって進行する。このため、図２５（ａ）に示すように、回折格子１３０上で、迷光１６０は焦点を結ぶように入射するので、信号光１４０よりも非常に小さな光束となり、回折領域１３０Ｉから１３０Ｌと遮光部２０のみに入射する。回折格子１３０で回折した光束は、図２５（ｂ）に示すように、光検出器１３１上に入射する。信号光は黒点で、迷光は灰色で塗られた領域で示されている。この図より、受光面上で信号光と迷光が重なり合っていないことがわかる。また、レンズシフトを行って迷光がＲａｄ方向に変位した場合でも、迷光の影響を最小限に抑えることが可能である。また、回折格子上で完全に焦点を結ぶような迷光が入射した場合は、遮光領域によって迷光を遮断することが可能である。
【００７１】
以上より、図２１のように中央を遮光してそれ以外を複数の回折光に分割する回折格子１３０と、図２２のように迷光を効果的に分離できるような受光面構成の光検出器１３１を設けることで、多層光ディスクでのいかなる迷光も信号光と分離することが可能である。また、レンズシフト時も迷光の影響を最小限に抑えることが可能となる。従って、安定したサーボ信号やＲＦ信号を生成することが可能となる。
【００７２】
なお、図２１のような回折格子構成は遮光部と複数の回折領域が存在するため、光検出器の受光面配置の自由度が増える。従って、互いの受光面を近くに配置することができ、光検出器を小型化することが可能となる。
【００７３】
また、回折格子１３０の位置は、図１４に限定されるものではない。例えば偏光性回折格子を用いて、ＰＢＳ１１とコリメートレンズ１３の間に配置しても構わない。
【００７４】
また、回折格子１３０の構成や光検出器１３１の受光面の構成は、図２１および図２２に限定されるものではないことは言うまでもない。迷光と信号光を効果的に分離できれば、どのような構成であっても構わない。例えば、光検出器１３１は図２６のような構成であってもよい。この場合、回折格子１３０上で例えば図２３（ａ）、図２４（ａ）、図２５（ａ）のような迷光となるとき、光検出器１３１上での迷光は、例えば図２６、図２７、図２８に示すように、効果的に信号光と分離することが可能である。
【００７５】
また、回折格子１３０の遮光部２０は、互いに一体になってなくても構わない。同様の効果を示すことができるのであれば、例えば回折格子１３０と光検出器１３１の間、もしくは回折格子１３０とＰＢＳ１１の間に遮光素子を設けても構わない。
【００７６】
また、遮光部２０を設ける代わりに、格子溝のピッチが小さい回折領域を設けても構わない。この場合、光束は遮光されないが、ピッチを小さくすることで大きく回折することが可能となる。例えば図２２のような受光面構成の場合、Ｒａｄ方向上に受光面が配置されていないので、Ｒａｄ方向で光検出器１３１から大きくはみ出るくらいの位置に回折光が入射するように、回折格子１３０の格子溝ピッチを設計することで、遮光と同様の効果を得ることが可能である。また、例えば図２５のような受光面構成の場合は、Ｔａｎ方向上に受光面が配置されていないので、Ｔａｎ方向で光検出器１３１から大きくはみ出るくらいの位置に回折光が入射するように、回折格子１３０の格子溝ピッチを設計することで、遮光と同様の効果を得ることが可能である。
【実施例５】
【００７７】
実施例５では、実施例１から実施例４で説明した光ピックアップ装置を搭載した光ディスク装置（光学的情報再生装置または光学的情報記録再生装置）について、図３０を用いて説明する。
【００７８】
図３０は、情報の記録および再生を行う光情報記録再生装置の概略ブロック図を示している。２００は本発明の光ピックアップ装置を示しており、この光ピックアップ装置２００内の光検出器から検出された信号は、サーボ信号生成回路２０１および情報信号再生回路２０２に送られる。
【００７９】
サーボ信号生成回路２０１では、光ピックアップ装置２００より検出された信号に基づいて光ディスク２０３に適したフォーカス誤差信号、トラッキング誤差信号、球面収差検出信号、チルト制御信号等が生成され、これらの信号を基にアクチュエータ駆動回路２０４を経て光ピックアップ装置２００内の対物レンズアクチュエータを駆動して、対物レンズ２０５の位置制御が行われる。
【００８０】
情報信号再生回路２０２では、光ピックアップ装置２００より検出された信号から光ディスク２０３に記録された情報信号が再生される。
【００８１】
また、サーボ信号生成回路２０１および情報信号再生回路２０２にて得られた信号の一部は、コントロール回路２０６に送られる。コントロール回路２０６からはレーザ駆動用信号が送られ、レーザ点灯回路２０７を駆動させて光ピックアップ装置２００内のレーザ光源１１にレーザ駆動電流を供給する。また、光ピックアップ装置２００内のフロントモニタを用いてレーザ光源１０からのレーザの出射光量を制御できる。なお、レーザ点灯回路２０７は光ピックアップ装置２００内に組み込むことも可能である。
【００８２】
コントロール回路２０６には、サーボ信号制御回路２０１、レーザ点灯回路２０７の他にスピンドルモータ駆動回路２０８、アクセス制御回路２０９、球面収差補正素子駆動回路２１０等が接続されており、それぞれ光ディスク２０３を回転させるスピンドルモータ２１１の回転制御、光ピックアップ装置２００のアクセス方向位置制御、光ピックアップ装置２００内の球面収差補正光学系のコリメートレンズの駆動制御が行われる。
【００８３】
なお、記録時はコントロール回路２０６とレーザ点灯回路２０７の間に設けられている情報信号記録回路２１２からの記録制御信号に基づいて、レーザ点灯回路２０７を駆動させて光ディスク２０３に情報を記録する。
【００８４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００８５】
１０…レーザ光源、１１…偏光ビームスプリッタ（ＰＢＳ）、１２…フロントモニタ、１３…コリメートレンズ、１４…１／４波長板、１５…立ち上げミラー、１６…アクチュエータ、１７…対物レンズ、１８…遮光素子、１９…光検出器、２０…遮光領域、６０…回折格子
【図１】
2012069183.tif 000003
【図２】
2012069183.tif 000004
【図３】
2012069183.tif 000005
【図４】
2012069183.tif 000006
【図５】
2012069183.tif 000007
【図６】
2012069183.tif 000008
【図７】
2012069183.tif 000009
【図８】
2012069183.tif 000010
【図９】
2012069183.tif 000011
【図１０】
2012069183.tif 000012
【図１１】
2012069183.tif 000013
【図１２】
2012069183.tif 000014
【図１３】
2012069183.tif 000015
【図１４】
2012069183.tif 000016
【図１５】
2012069183.tif 000017
【図１６】
2012069183.tif 000018
【図１７】
2012069183.tif 000019
【図１８】
2012069183.tif 000020
【図１９】
2012069183.tif 000021
【図２０】
2012069183.tif 000022
【図２１】
2012069183.tif 000023
【図２２】
2012069183.tif 000024
【図２３】
2012069183.tif 000025
【図２４】
2012069183.tif 000026
【図２５】
2012069183.tif 000027
【図２６】
2012069183.tif 000028
【図２７】
2012069183.tif 000029
【図２８】
2012069183.tif 000030
【図２９】
2012069183.tif 000031
【図３０】
2012069183.tif 000032